(57)【要約】【課題】第１収納部と第２収納部とを有して、これらの間に加圧開放部が設けられた２重ポーチにおいて、外部から小さい力で前記加圧開放部が開けられる２重ポーチ。【解決手段】外部接合線に沿って外郭が密封され、内部接合線により区画された第１収納部と第２収納部と、これらの上辺、または下辺の間に非融着状の凹凸断面に設けられた加圧開放部と、前記内部接合線の中心下辺から前記加圧開放部に隣接する位置まで施された切断線と、を備え、前記第１収納部と第２収納部との間を、前記切断線に沿って切離し、ある一つの収納部を巻くと、前記加圧開放部に圧力が加えられて開かれるようにした。【選択図】図５
2016084178.tif 000002
【特許請求の範囲】
【請求項１】
外部接合線に沿って外郭が密封され、内部接合線により区画される第１収納部、及び第２収納部と、前記第１収納部、及び第２収納部の上辺、または下辺の間で非融着状の凹凸断面に密着されるように設けられた加圧開放部と、前記内部接合線の中心下辺から前記加圧開放部に隣接する位置まで施された切断線とが含まれて、前記一対の収納部の間を切離し、ある一つの収納部を巻いて前記加圧開放部を開かせることが出来ることを特徴とする、加圧して開ける非融着面を有する２重ポーチ。
【請求項２】
前記加圧開放部の中心には、狭い通路がさらに設けられることにより、前記加圧開放部の密着力を低く調節出来るようにしたことを特徴とする、請求項１記載の加圧して開ける非融着面を有する２重ポーチ。
【請求項３】
前記第１収納部と加圧開放部との間、及び第２収納部と加圧開放部との間に、各々第１緩衝部と第２緩衝部をさらに設けることにより、外部から加えられる強い圧力を減衰させるようにしたことを特徴とする、請求項１または請求項２記載の加圧して開ける非融着面を有する２重ポーチ。
【請求項４】
前記第１収納部と第２収納部とに充填される液状の内容物は、その収容空間の５０〜６０％範囲に充填されていることを特徴とする、請求項１または請求項２記載の加圧して開ける非融着面を有する２重ポーチ。
【発明の詳細な説明】
【技術分野】
【０００１】
この発明は、一対の収納部に各々収容された異種の液状物を、開封前に混合して注出することが出来る２重ポーチに関し、より詳しくは、ポーチの外部から異種の液状物を簡便に混合させることが出来る構成となる加圧して開ける非融着面を有する２重ポーチに関する。
【背景技術】
【０００２】
一対のフィルムを熱間プレスして得るポーチは、収納部の防水性と気密性とが優れ、かつ、成型も容易で、液状の洗剤、化粧水、薬剤、飲み物などを包装する用途に広く用いられている。
【０００３】
従来のポーチは、単一成分の液体、粉末、固形物などが収容されているが、異種の液体、または液体と粉末等を一つのポーチに別に収納し、使用の時に収納部のある一方を加圧して一対の収納部を区分する境界線の特定部分を開かせ、内容物を混合するようにするデュプレックスストレージポーチが公知されている（特許文献１、特に図１）。ところが、前記ポーチは、ジグザグ状の境界線がめったに破られないから、精一杯に加圧しなければならないという問題がある。
【０００４】
この発明者は、前記デュプレックスストレージポーチの問題点を改善したポーチとして、一対の収納部の間に設けられる境界線に、三角形状の小さい空間となる特定部分を一つ以上配置し、その特定部分の頂角部を周辺部分より弱く接合させた２重ポーチを提案したことがある（特許文献２）。しかし、この発明者が提案した２重ポーチも、収納部の間の開通には、いまだに強く加圧しなければならないという不便さが残っている。
【０００５】
この発明者は、前述の問題を解消するために、一対の収納部の間に設けられる境界線の途中に、接合されない面が２箇所に形成された加圧開放部を備える２重ポーチを再び提案したことがある（特許文献３）。どころが、開示した２重ポーチでは２箇所の接合されない面のサイズ管理が難しいという短所があった。即ち、接合されない面の幅を少しでも狭くすると、収納部の間の開通に要る力が大きくなり、反対に幅を少しでも広くすると、収納部中のある一つに外力が加えられると、直ぐに接合されない面から漏れが発生して内容物が変質される例が時々表れている。
【先行技術文献】
【特許文献】
【０００６】
【特許文献１】米国特開２００４―００７９７６３号公報
【特許文献２】韓国実用新案登録２０―０４５６２９８号公報
【特許文献３】韓国特許１０―０１２２６７３９号公報
【発明の概要】
【発明が解決しようとする課題】
【０００７】
この発明は、一対の収納部に異種の内容物を収容出来る２重ポーチにおいて、前記一対の収納部の間に設けられる加圧開放部から漏れがないように、強く密着され、使用者にとっては前記加圧開放部を小さな力で開けられるようにして、使用が簡便な構成の加圧して開ける非融着面を有する２重ポーチを提供することに目的がある。
【課題を解決するための手段】
【０００８】
この発明に係る２重ポーチは、外部接合線に沿って外郭が密封され、内部接合線により第１収納部と、第２収納部に区画されると共に、前記第１収納部と第２収納部との上辺、または下辺の間に、非融着状の凹凸断面となる加圧開放部を設け、かつ前記内部接合線の中心には、その下辺から前記加圧開放部に隣接する位置まで切断線を施すことにより、前記一対の収納部の間を切離し、ある一つの収納部を巻くことにより、前記加圧開放部が開くようにすることを特徴とする。
【０００９】
また、この発明に係る二重ポーチにおいて、前記加圧開放部の凹凸断面による密着力を調節するために、その中心に狭い通路をさらに設けることが出来る。
【００１０】
この発明に係る二重ポーチにおいて、外部から加えられる強い圧力を減衰させるために、前記第１収納部と加圧開放部との間、及び前記第２収納部と加圧開放部との間に、各々第１緩衝部と第２緩衝部をさらに設けることが出来る。
【００１１】
この発明に係る二重ポーチにおいて、前記第１収納部と第２収納部とに充填される液状の内容物は、その収納空間の５０〜６０％範囲に充填することが望ましい。
【発明の効果】
【００１２】
この発明に係る２重ポーチは、使用前まで区分して包装されるべき２種の内容物を隔離収容し、前記内容物を封合状態に混合した後に開封し取り出すべき物品の包装に最適である。
【００１３】
この発明に係る２重ポーチは、第１収納部と第２収納部の間の加圧開放部が、非融着状に密着された凹凸断面により、常に強く密着状に保持されるから、運送や保管等において、上下に積載された重量の静的荷重が下側ポーチに加えられても、加圧開放部は開かないので、漏洩による内容物の変質に起因する不良製品が全く生じない。
【００１４】
この発明に係る２重ポーチにおいて、前記加圧開放部の凹凸断面は、密着力増大による漏洩防止効果の他にも、使用者が加圧開放部の開通のために、凹凸断面部分の外面を指で擦って面分離させる時に滑らないようにする効果もある。
【００１５】
この発明に係る２重ポーチにおいて、両収納部の間は、内部接合線の切開線が許す範囲まで切離出来るから、切離されたある一側の収納部を巻くことで、前記加圧開放部が開くようにすることが出来るため、ポーチ開封前に内容物を容易で簡便に混合出来るという効果がある。
【００１６】
また、この発明に係る二重ポーチにおいて、前記加圧開放部の狭い通路は、密着面が平坦で、周辺の凹凸断面より密着力が弱い部分になるので、これをよって、加圧開放部の密着状態を多少弱く調節出来るという効果もある。
【００１７】
また、この発明に係る二重ポーチにおいて、前記第１緩衝部、または第２緩衝部は、第１収納部、または第２収納部が加圧され、その内部圧力が予期せずに急増する場合に、これらは減衰空間を提供し、前記加圧開放部が開けられる圧力未満に下げるように調節して突発的開通を防止するという効果もある。
【００１８】
この発明に係る二重ポーチにおいて、前記第１収納部と第２収納部とに収容される液状の内容物を、その収容可能体積の５０〜６０％で充填すると、使用者が両収納部を切離させ、ある一つの収納部を巻く時、開通した加圧開放部を通じる内容物の流れが順調になって、混合することを容易にする効果もある。
【図面の簡単な説明】
【００１９】
【図１】この発明に係る２重ポーチの一実施例を示す図である。
【図２】加圧開放部を図１のＩＩＩ−ＩＩＩ線に沿って示す部分拡大断面図である。
【図３】加圧開放部の変形例を示す部分拡大図である。
【図４】２種の液体が別々に収容された状態を示す２重ポーチの斜視図である。
【図５】２重ポーチに別々に収容された内容物の混合過程を示す使用例示図である。
【図６】この発明に係る２重ポーチの製造方法の一つの例を示す図である。
【発明を実施するための形態】
【００２０】
以下、この発明の実施の形態を実施例に沿って図面を参照しながら説明する。
【００２１】
この発明に係る２重ポーチは、図１に示すように、外部接合線２に沿って外郭が融着されて形成される空間が、内部接合線４により第１収納部６と第２収納部８とに区分される構成となる。
【００２２】
このように、一対に区分形成された第１および第２収納部６、８には、各々異なる成分の液体、例えば、使用前まで別に保管しなければならない毛髪染色剤と酸化剤、または混合されると成分が変化する２種の液状ビタミンのような液状内容物とか、或いは粉体と液体のように性状が異なる物質、たとえば、顔面美容水と不織布のフェイスマスク等の内容物が別に収容され、両収納部６、８の間には加圧開放部１０が設けられる。
【００２３】
また、加圧開放部１０の両側には、第１収納部６に専属する第１緩衝部１２と、第２収納部８に専属する第２緩衝部１４がさらに設けられても良い。しかし、第１緩衝部１２と第２緩衝部１４とは必ず備えなければならないわけではない。
【００２４】
前記内部接合線４には、その中心に沿って切断線１６が延長されて、前記第１収納部６と第２収納部８の間は、前記切断線１６が許す限界まで切離することが出来るようになっている。
【００２５】
この発明に係る２重ポーチであって、前記加圧開放部１０とその両側の緩衝部１２、１４は、金型により一対のフィルムが融着される外部接合線２と内部接合線４とは異なり、融着されないで、単に面接触状に密着しているように形成されることであり、特に加圧開放部１０は、図２に示すように、互いに接触している面が鋸歯状の凹凸断面に曲がりくねって、十分に広い面積で強く密着されることである。
【００２６】
前記加圧開放部１０は、前記両収納部６、８中の上辺、または下辺の間から直交になる位置で設けられることが良い。このような加圧開放部１０は、第１収納部６の内部、または第２収納部８の内部から起こる圧力により開けられることであり、図１の２重ポーチである場合には、第２収納部８の内容物を、第１収納部６に圧送して混合されるようにする方が便利であろう。
【００２７】
一方、加圧開放部１０は凹凸断面により十分な密着力を持っているから、相当な圧力を加えないと開かない。これをさらに容易に開かせるために、まず、使用直前に前記加圧開放部１０の外表面を指で擦って、前記凹凸断面の間が面分離するようにした後で、第２収納部８を外部から加圧すると、より小さい力でも開けられる。
【００２８】
図３は、前記加圧開放部１０に係る変形実施例を示す図面であり、この例において、加圧開放部１０は、自身の中心に狭い通路１８を有している。前記狭い通路１８は、互いに融着されずに平坦で密着している部分で、周辺の凹凸断面に比べて弱い密着力を有しているため、使用者が指で加圧開放部１０の外部を擦る時、または収納部の内部圧力を加圧開放部１０に加える時に、密着力が強い凹凸断面より先に面分離されながら、前記加圧開放部１０の開通を促進させる。このような狭い通路は、加圧開放部１０の密着力を多少低く調節しようとする場合にも適用出来る。
【００２９】
この発明に係る二重ポーチは、図４のように、第１収納部６と第２収納部８とに各々異なる液状内容物を別に収容する場合において、一側の内容物全部を反対側に圧送させる混合過程からの体積増大を考慮すると、両収納部６、８の充填量はその収容空間の５０〜６０％範囲の充填率に制限することが望ましい。
【００３０】
この発明に係る二重ポーチは運送中、または徳用包装に保管中に、上下にポーチが積載されて上方の合算重量に押される静的荷重が下方のポーチに加えられる場合が多い。ところが、前記静的荷重による圧力増大は、この発明に係る二重ポーチにおいては、第１緩衝部１２、または第２緩衝部１４が吸収して減衰させて、運送中や保管中に加圧開放部１０の不意な開通を防止するので、使用直前まで異種の内容物は安全に別々に収納された状態に保持される。
【００３１】
このような構成の二重ポーチを使用するには、まず前記加圧開放部１０の外部を指で擦って面分離させておく、次に内部接合線４の切断線１６が許す限界まで、両収納部６、８の間を切離し、図５に示したように、第２収納部８を巻く。
【００３２】
第２収納部８を巻けば巻くほど、その内の液状内容物は第２緩衝部１４を経て加圧開放部１０に集中し始め、その部分に加えられる内容物の圧力はだんだん増大するようになる。このように増大される内容物の圧力がある水準に至ると、加圧開放部１０が開きながら第１収納部６に圧送され、その結果、両収納部６，８に別々に収容されていた内容物の混合が始まる。
【００３３】
また、第２収納部８の代わりに第１収納部６を巻いても、流れの方向が違うのみで、開通作用と混合は同様に行われる。
【００３４】
このように、ある一側の収納部を巻けるようにする構成は、ある一側の収納部の内部圧力を容易に一定水準に増大させることが出来るため、小さな力で加圧開放部１０を開けられるように操作する構造として最適なものである。
【００３５】
また、第１収納部６と第２収納部８とに収容された内容物の混合は、前述した例として限定されず、前記第１収納部６、または第２収納部８の下端に、別途の押出子２０を挟み込んで、内容物が圧送されるように、押し上げるか、巻くかしても加圧開放部１０を開けることが出来る。
【００３６】
この発明に係る二重ポーチは、図６に示す製造工程から得られる。
図６において、ポーチとして接合するために、互いに重なるように供給される一対のフィルムＦ１、Ｆ２は、移送される途中で１次金型Ｍ１でプレスされ、下辺と側辺の外部接合線２と内部接合線４が熱接合されて、上辺が開いているポーチが作られる。
【００３７】
続いて、ポーチの内部に図示省略したノズル等の注入手段を通じて、２種の内容物を別々に注入した後で、２次金型Ｍ２を経て再度プレスすることにより、前記加圧開放部１０（第１及び第２緩衝部１２、１４、狭い通路１８を有する場合はこれらと共に）の形成と上辺の接合が同時に行われ、切断線１６の形成と共に切断分離されることで、本発明に係る２重ポーチが得られる。
【００３８】
勿論、前記加圧開放部１０（第１及び第２緩衝部１２、１４、狭い通路１８を有する場合はこれらと共に）を成型する２次金型Ｍ２では、該当部分にヒーターがなく、型合過程で融着されず、単に面同士が接触するように密着されるのみである。
【符号の説明】
【００３９】
２    外部接合線
４    内部接合線
６    第１収納部
８    第２収納部
１０  加圧開放部
１２  第１緩衝部
１４  第２緩衝部
１６  切開線
１８  狭い通路
２０  押出子
【図１】
2016084178.tif 000003
【図２】
2016084178.tif 000004
【図３】
2016084178.tif 000005
【図４】
2016084178.tif 000006
【図５】
2016084178.tif 000007
【図６】
2016084178.tif 000008